(57)【要約】      （修正有）【課題】使用者の肩部への負担を軽減しつつ、通常の寝具において得られる寝心地を確保することのできる寝具を提供する。【解決手段】使用者Ｍの身体を支持する敷き部材２を備え、この敷き部材には、使用者用の枕３が設置される部位の下部に、使用者の肩部に対向させられる窪み４が、幅方向に肩以外の部分の落ち込みを防止する所定幅で形成されている。窪みを、寝具の下方へ向かって広がる三角形状に形成することが好ましい。肩との接触面積を極力狭めつつ、枕に対する開口面積を小さくすることができ、この結果、枕の形状の選択範囲を大きくすることができる。【選択図】図２
0003188057.tif 000002
【実用新案登録請求の範囲】
【請求項１】
使用者の身体を支持する敷き部材を備え、この敷き部材には、前記使用者用の枕が設置される部位の下部に、前記使用者の肩部に対向させられる窪みが、前記敷き部材の幅方向に所定幅で形成されていることを特徴とする寝具。
【請求項２】
前記窪みが、前記寝具の下方へ向かって広がる三角形状に形成されていることを特徴とする請求項１に記載の寝具。
【請求項３】
前記敷き部材が敷き布団であることを特徴とする請求項１または請求項２に記載の寝具。
【請求項４】
前記敷き部材がマットレスであることを特徴とする請求項１または請求項２に記載の寝具。
【考案の詳細な説明】
【技術分野】
【０００１】
本考案は、使用者の身体を支持する敷き部材を備えた寝具に関するものである。
【背景技術】
【０００２】
一般に、睡眠の際に用いられる寝具は、仰臥状態あるいは横臥状態にある使用者の身体を支持する敷き部材を備えており、前記使用者の足腰や肩を支持するようになっている。
【０００３】
一方、使用者は、就寝中にたびたび寝返りをうち、仰臥姿勢と左右の横臥姿勢との間で姿勢変更を行なっており、横臥状態の姿勢であると、肩部分が首の下に入り込むことにより、仰臥状態に比して肩に体重が集中しやすい。
【０００４】
このような現象は、たとえば四十肩や五十肩、あるいは、肩まわりの骨折等の疾患がある使用者にとって寝返りが苦痛となり、睡眠が妨げられることとなる。
【０００５】
そして、このような不具合を解消するために、たとえば、特許文献１に示されるような技術が提案されている。
【０００６】
この技術は、身体の脇から下方を支持する敷き布団と、身体の頭部を支持する枕部とによって構成し、これらの敷き布団と枕部とを弾性材料からなるつなぎ布で接続することにより、これらの敷き布団と枕部との間に、身体の腕と肩が入り込む溝を形成したものである。
【０００７】
このような技術により、横臥状態へ姿勢変更する際に首の下に入り込む肩を前記溝に落とし込むことにより、首が持ち上げられることを防止し、これによって肩への荷重増加を抑制することが期待できる。
【先行技術文献】
【特許文献】
【０００８】
【特許文献１】特開２０００−２５３９５７号公報
【考案の概要】
【考案が解決しようとする課題】
【０００９】
前述した従来の技術によって、寝返り時の肩への負担を軽減することが期待できるようになったが、なお、つぎのような改善すべき問題点が残されている。
【００１０】
すなわち、先述した技術にあっては、肩を前記溝内に落とし込むことにより肩への負荷を軽減するようにしているが、その肩とともに腕も前記溝内に入り込む。
このように腕が前記溝内に入り込むと、この溝によって腕の動きが制限されて、寝心地に悪い影響を与えてしまう。
【００１１】
また、敷き布団と枕部がつぎ布によって連結された構成としたことにより、両者の間隔を規制するものがなく、したがって、前記溝の幅も自由に変化することから、この溝幅が前述した肩の落とし込みに必要な幅よりも小さくなって、その機能が損なわれてしまうおそれがある。
【００１２】
特に、就寝中における寝返り等の動きによって、前記敷き布団と枕部とが動かされてしまうことがある。
【００１３】
さらに、前記溝が、寝具の幅方向全長にわたって形成されていることにより、使用者が使用する枕の幅よりも前記溝の方が大きく、就寝中に、前記枕が前記溝内に落ち込んでしまうことも想定される。
【００１４】
本考案は、前述した従来の問題点に鑑みてなされたもので、使用者の肩部への負担を軽減しつつ、通常の寝具において得られる寝心地を確保することのできる寝具を提供することを解決課題とする。
【課題を解決するための手段】
【００１５】
本考案に関わる寝具は、前述した課題を解決するために、使用者の身体を支持する敷き部材を備え、この敷き部材には、前記使用者用の枕が設置される部位の下部に、前記使用者の肩部に対向させられる窪みが、前記敷き部材の幅方向に所定幅で形成されていることを特徴としている。
【００１６】
このような構成とすることにより、使用者は、頭を枕に載せて仰臥すると、その肩が前記窪みに対向させられる。
これによって、肩と前記敷き部材との接触部が減少させられることにより、前記肩にかかる負荷が軽減され、かつ、前記窪みを使用者の肩に対向させられる程度の幅に設定することにより、肩以外の部分の落ち込みを防止することができる。
【００１７】
そして、前記窪みのまわりは、前記敷き部材の構成要素が連続しており、これによって前記窪みの変形が防止されて、前記肩に対する支持状態の変化が抑制され、肩への安定した負荷軽減作用を維持することができる。
【００１８】
寝返り等により、肩を首の下方へ入れ込む動きをした場合、前記肩は、即座に前記窪みへ入り込み、首の持ち上がりを防止しつつこの首の下方に入れ込まれる。
したがって、仰臥姿勢と横臥姿勢との姿勢変更時においても、横臥姿勢をとった場合においても、前記肩への負荷上昇を抑制することができ、肩に疾患があっても快適に使用することができる。
【００１９】
また、前述したように前記窪みが、所定幅となされているとともに、その形状変化がないことから、前記枕の大きさを適宜設定しておくことにより、この枕が前記窪みに落ち込むようなこともない。
【００２０】
そして、前記窪みを、前記寝具の下方へ向かって広がる三角形状に形成することが好ましい。
このような構成とすることによって、肩との接触面積を極力狭めつつ、前記枕に対する開口面積を小さくすることができ、この結果、前記枕の形状の選択範囲を大きくすることができる。
一方、前記敷き部材として敷き布団やマットレス、スプリングマットなどに適用することができる。
【考案の効果】
【００２１】
本考案の寝具によれば、就寝中の姿勢に拘わらず使用者の肩への負担を軽減するとともに、寝返りの際における使用者の肩への負担増加を抑制することができ、これによって、特に、肩に疾患を有する使用者に快適な寝心地を提供することができる。
【図面の簡単な説明】
【００２２】
【図１】本考案の一実施形態を示す平面図である。
【図２】本考案の一実施形態を示すもので、使用状態の平面図である。
【図３】本考案の一実施形態を示すもので、使用状態の一部を断面した側面図である。
【考案を実施するための形態】
【００２３】
以下、本考案の一実施形態を、図面を参照して説明する。
これらの図において符号１は，本実施形態に係わる寝具を示し、この寝具１は、使用者Ｍ（図２参照）身体を支持する敷き部材２を備え、この敷き部材２には、前記使用者Ｍ用の枕３が設置される部位の下部に、前記使用者Ｍの肩部Ｓに対向させられる窪み４が、前記敷き部材２の幅方向に所定幅で形成された構成となっている。
【００２４】
前記敷き部材２は、たとえば、敷き布団であり、あるいは、ベッドに用いられるマットレス等であり、平面視で略長方形状に形成され、また、所定の厚さを備えている。
【００２５】
前記窪み４は、本実施形態においては、前記敷き部材２の下方へ向かって広がる三角形状に形成されている。
そして、前記窪み４は、図２に示すように、使用者Ｍが前記敷き部材２上に仰臥した状態において、前記使用者Ｍの肩部Ｓ全体を開放するような大きさ、若しくは、前記敷き部材２の上面が、前記肩部Ｓの周縁部に僅かに接触する程度の大きさに形成されている。
【００２６】
この窪み４の形状は、三角形状に限られるものではなく、台形状、四角形状、長円形状等、種々変更可能である。
本実施形態に示すように三角形状、あるいは台形状（図示せず）とすることが好ましく、その理由は、前述したような使用者Ｍの肩部Ｓとの接触を極力小さくしつつ、その開口面積も極力小さくするためである。
【００２７】
このように、前記窪み４の開口面積を極力小さくするのは、その開口面積を前記枕３の平面投下面積よりも小さくして、この枕３の落下を防止するためである。
【００２８】
このように構成された本実施形態の寝具１は、使用に際して、図１に示すように、前記枕３を、前記窪み４の頂部と若干重畳した位置に配置した状態で使用される。
【００２９】
そして、使用者Ｍは、前述したように使用状態となされた前記寝具１上に、たとえば、図２に示すように、仰臥する。
この状態において、前記使用者Ｍの頭部が前記枕３によって支持され、また、前記使用者Ｍの肩部Ｓが、前記窪み４に対向位置され、さらに、前記使用者Ｍの脇から下方が前記敷き部材２によって支持される。
【００３０】
このような仰臥状態において、前記使用者Ｍの肩部Ｓは、前記窪み４の周縁部において僅かに前記敷き部材２と接触し、あるいは、非接触状態に保持される。
したがって、仰臥姿勢をとった際に、前記使用者Ｍの肩部Ｓへの負荷が大幅に軽減され、あるいは、全く除去される。
【００３１】
この結果、前記使用者Ｍに、肩に疾患がある場合であっても、その痛みを軽減ないしは除去し、快適な睡眠を与えることができる。
【００３２】
一方、前記使用者Ｍが寝返りをうって横臥姿勢へ姿勢変更を行なう場合、その変更動作に伴って、横臥方向に位置する肩が即座に前記窪み４内に落ち込むように移動させられる。
【００３３】
ここで、前述したように、前記窪み４によって、前記肩と敷き部材２との接触面積が極めて狭く，あるいは、全くないことから、寝返りの際の肩への負荷が極めて小さく抑えられる。
したがって、苦痛を感じることなく、あるいは極力苦痛を抑制して寝返りをうつことができる。
【００３４】
そして、横臥姿勢の状態においては、図３に示すように、肩が前記窪み４内で前記敷き部材２に対して浮いた状態に保持される。
したがって、横臥状態において肩部Ｓへの負担がなく、使用者Ｍは、肩の苦痛を感じることなく就寝することができる。
【００３５】
さらに、前記窪み４は、前記使用者Ｍの肩部Ｓのみを開放するもので、他の身体部分を拘束するようなことはない。
したがって、身体の他の部位を自由に動かせるので、寝心地を阻害するようなことはない。
【００３６】
なお、前記実施形態において示した各構成部材の諸形状や寸法等は一例であって、使用者Ｍの体形や設計要求等に基づき種々変更可能である。
【符号の説明】
【００３７】
１  寝具
２  敷き部材
３  枕
４  窪み
Ｍ  使用者
Ｓ  肩部
【図１】
0003188057.tif 000003
【図２】
0003188057.tif 000004
【図３】
0003188057.tif 000005